(57)【要約】【課題】  外部表示装置と操作パネルを使用しての煩雑な設定を行わなくても、メモリーカード内の画像データを効率的に印刷（記録）することを可能とする。【解決手段】  画像データを格納した記憶媒体から、前記画像データを読み出す読出手段と、前記読出手段より読み出された画像データを所定の順序にて印刷する記録指示を受け付ける記録指示受付手段と、前記記録指示を受け付けた場合に、前記画像データを前記所定の順序にて記録する記録手段とを備える。【選択図】図１
2005343007.tif 000002
【特許請求の範囲】
【請求項１】
画像データを格納した記憶媒体から、前記画像データを読み出す読出手段と、
前記読出手段より読み出された画像データを所定の順序にて記録する記録指示を受け付ける記録指示受付手段と、
前記記録指示を受け付けた場合に、前記画像データを前記所定の順序にて記録する記録手段と
を備える記録装置。
【請求項２】
前記所定の順序は、前記画像データが取得された日付の新しいものの順序であることを特徴とする請求項１に記載の記録装置。
【請求項３】
前記記録手段における記録条件を設定する記録条件設定手段を更に備え、
前記記録指示受付手段が前記記録指示を受け付けた場合に、前記記録条件設定手段は、前記記録条件を予め定められた条件に設定し、前記記録手段は設定された前記記録条件に従い記録を行うことを特徴とする請求項１又は２に記載の記録装置。
【請求項４】
前記記録手段は、記録を行う用紙のサイズを検知する媒体サイズ検知手段を備え、
前記記録条件設定手段は、前記記録条件のうち用紙のサイズを、前記媒体サイズ検知手段により検知された前記用紙のサイズに設定することを特徴とする請求項３に記載の記録装置。
【請求項５】
前記記録手段による前記画像データの記録を停止する停止指示を受け付ける停止指示受付手段を更に備え、
前記停止指示受付手段により停止指示を受け付けた場合に、前記記録手段は記録を停止することを特徴とする請求項１乃至４のいずれかに記載の記録装置。
【請求項６】
外部表示装置を接続する接続手段と、
前記接続手段に外部表示装置が接続されているか否かを判定する判定手段とを更に備え、
前記記録指示受付手段は、前記判定手段が前記外部表示装置が接続されていないと判定した場合に、前記記録指示を受け付けることを特徴とする請求項１乃至５のいずれかに記載の記録装置。
【請求項７】
前記判定手段が前記外部表示装置が接続されていると判定した場合に、前記外部表示装置に画像データを表示して、前記記録手段により記録する画像データの選択を受け付ける画像選択受付手段と、
選択された前記画像データの記録条件の設定を受け付ける記録条件設定受付手段と
を更に備え、
前記記録手段は、選択された前記画像データを設定を受け付けた前記記録条件に基づいて記録することを特徴とする請求項６に記載の記録装置。
【請求項８】
画像データを格納した記憶媒体から、前記画像データを読み出す読出工程と、
前記読出工程において読み出された画像データを所定の順序にて記録する記録指示を受け付ける記録指示受付工程と、
前記記録指示を受け付けた場合に、前記画像データを前記所定の順序にて記録する記録工程と
を備える記録方法。
【発明の詳細な説明】
【技術分野】
【０００１】
本発明は、記録装置、記録方法、に関する。
【背景技術】
【０００２】
一般に印刷装置（記録装置）は、ホストコンピュータに接続されて操作されるため、印刷装置の設定（用紙のサイズ、用紙の種類、記録品位等）は、ユーザによってホストコンピュータ上で設定された後、印刷開始を実行することで、印刷装置にコマンドとしてホストコンピュータから送られ、印刷装置側はコマンドを解釈して指定されたモードが選択されるようになっている。そのため、主にホストコンピュータに接続される印刷装置では用紙サイズ、用紙の種類、印刷モード等を設定するパネル操作が不要となり、最近では電源スイッチしかキーのない印刷装置も存在する。
【０００３】
一方、主にホストコンピュータに接続して使用しない印刷装置、すなわちデジタルカメラやデジタルカメラのメモリカードからホストコンピュータを介さず直接印刷できる印刷装置においては、メモリーカードから所望の画像の選択や印刷装置の設定（用紙のサイズ、用紙の種類、印刷品位等）が必要となるので印刷装置の操作パネルに各種設定キーを設けられていたり、前記設定を容易に行えるように前記設定のための表示装置として印刷装置に液晶画面を搭載したり、ＴＶ受像機等の外部モニタを利用して表示を行なえるようなビデオ出力を持ったりしている（特許文献１を参照。）。
【０００４】
しかしながら、印刷装置側がホストコンピュータでなく、印刷装置に接続されたメモリーカード内の画像の印刷を行おうとする場合、前記画像データには印刷すべき用紙等の情報が入っていないので、ユーザの所望する印刷結果を得るためには従来ホストコンピュータとの接続では必要なかった用紙を選択させるための操作パネルや表示装置が必要となり、操作が煩雑になり初心者では十分使いこなせなかった。また印刷装置の印刷設定用の表示装置として外部モニタが必要とされる場合でも、そのようなモニタが必ずしも印刷装置に接続されて使用されるとは限らず、外部モニタが接続されていない場合は所望の印刷処理を実行できなかった。
【特許文献１】特許第３１６１４２７号公報
【発明の開示】
【発明が解決しようとする課題】
【０００５】
このように、外部表示装置を使って設定を行うことが前提とされる場合には、表示装置が接続されない場合に所望の印刷結果を得ることが困難であった。
【０００６】
そこで、本発明は、外部表示装置と操作パネルを使用しての煩雑な設定を行わなくても、メモリーカード内の画像データを効率的に印刷する（記録を行う）ことを可能とする。
【課題を解決するための手段】
【０００７】
上記課題を解決するための本発明は、画像データを格納した記憶媒体から、前記画像データを読み出す読出手段と、前記読出手段より読み出された画像データを所定の順序にて記録する記録指示を受け付ける記録指示受付手段と、前記記録指示を受け付けた場合に、前記画像データを前記所定の順序にて記録する記録手段とを備える。
【発明の効果】
【０００８】
本発明によれば、表示装置と操作パネルを使用しての煩雑な設定を行わなくても、メモリーカード内の画像データを効率的に印刷することができる。
【発明を実施するための最良の形態】
【０００９】
以下、添付する図面を参照して本発明の実施形態を説明する。
【００１０】
図１は、本発明の印刷（記録）装置１００の構成の一例を示すブロック図である。なお、印刷装置１００は、インクジェット方式、熱昇華型方式あるいはその他の方式のいずれでも構わない。１３１はマイクロプロセッサユニット、１３２は、印刷装置１００の制御や後述する本発明のプログラムを格納したＲＯＭ、１３３は、プログラム実行時にワークエリアとして用いられたり、ファイルデータ等を記憶しておくためのＲＡＭである。マイクロプロセッサ１３１は、ペーパエンドセンサ１４０、キャリッジホームセンサ１４３、回復系センサ１３７のセンサで記録用紙の有無、キャリッジの位置、回復系ユニットの状態を確認しながら、搬送モータドライバ１３８、キャリッジモータドライバ１４１、回復系モータドライバ１３７に駆動パルスを与え、搬送モータ１３９、キャリッジモータ１４２、回復系モータ１３７を制御する。
【００１１】
不図示のホストコンピュータから印刷（記録動作）のための命令や印刷データ（記録データ）がインタフェース１０４を介してマイクロプロセッサ１３１に送られる。１５２は、メモリーカードが接続され読出・書込手段として機能するメモリーカード制御部で、デジタルカメラ等で撮影された画像が記憶された記憶媒体としてのメモリーカード１５４が接続される。メモリーカード１５４内のデータはマイクロプロセッサ１３１からの指示に従って読み書きができるようにメモリーカード制御部１５２は作られている。メモリーカード１５４は、標準化されているＣＦ（コンパクトフラッシュ（登録商標））カードやＳＭ（スマートメディア）カードなど複数種類のものが使用可能になっている。メモリーカード１５４から読み出された画像はマイクロプロセッサ１３１は所定の処理を行ったのち１５１のビデオ出力制御部に送り、１５１でビデオ出力信号に変換され１５１のビデオ出力制御部に接続された外部表示装置１５３に表示することもできる。
【００１２】
また１５１のビデオ出力制御部には用紙サイズ、用紙種類、印刷品位等の印刷設定（記録動作について設定）を容易に行えるように操作ガイド用の画像データ（ROM１３２内に格納されている）もマイクロプロセッサ１３１から伝えられる。１５０は操作パネル部で図４に示すようなカーソルキー４０１や決定キー４０２、キャンセルキー４０３があり、外部表示装置１５３に表示された画像を見ながら前記キーを操作してメモリーカード１５４内の画像の選択を行うことができる。１６０は専用キーで、この操作によりメモリーカード１５４内の画像データを所定の順序に従って印刷する印刷指示（記録指示）を行うことができる。１４４は記録ヘッドで、印刷データをプリンタマイコン１３１によって制御され、設定されている印刷（記録）条件に従って、紙等に対し画像データやテキストデータの記録動作を行う。
【００１３】
次に、外部表示装置１５３と操作パネル１５０を利用して、印刷装置１００に挿入されたメモリーカード１５４からの印刷を行う場合の処理を図２を参照して説明する。図２は、当該処理の一例に対応するフローチャートであり、ＲＯＭ１３２に格納された対応する処理プログラムをＭＰＵ１３１が実行することにより処理が行われる。
【００１４】
まず、ステップＳ２０１で印刷装置１００の電源が投入されると、ステップＳ２０２において、外部表示装置１５３が接続されているか否かが判定される。判定の結果、外部表示装置１５３が接続されている場合にはステップＳ２０３へ移行し、接続されていない場合には、後述の図５の処理に移行する。
【００１５】
ステップＳ２０３では、メモリーカード１５４内の画像を外部表示装置１５３に表示する。ユーザは操作パネル１５０のカーソルキー４０１の左右キーを使ってメモリーカード１５４内の画像を所望の画像が得られるまで操作し、所望の画像が見つかれば操作パネル１５０の決定キー４０２を押下する。その状態をステップＳ２０４、Ｓ２０５で、決定キー４０２が押下されるまで、ユーザのカーソルキー４０１の操作に連動してメモリーカード１５４内の画像を読み出して外部表示装置１５３に表示し決定キー４０２の入力を受け付けると、ステップＳ２０６へ進む。
【００１６】
ステップＳ２０６では、ユーザの所望する用紙サイズや印刷品位を上下左右のカーソルキー４０１で選択できるように図３に示すような画面を外部表示装置１５３に表示する。
【００１７】
図３において、３００は画面全体を示し、３０１は用紙サイズの設定を示している。用紙サイズはたとえばＡ４及びＡ６のいずれかを、カーソルキー４０１を操作して選択することができるが、用紙サイズはこれらに限定されるものではない。
【００１８】
３０２は印刷品位の設定を示している。印刷品位は高、低のいずれかをカーソルキー４０１を操作して選択することができるが、品位の種類はこれら２つに限定されるものではない。さらに、３０３は印刷開始（記録開始）ボタンであり、カーソルキー４０１を操作して、カーソルをこの位置に合わせて決定キー４０２を操作すると、印刷開始指示とみなされ印刷装置１００における印刷動作が開始される。
【００１９】
ステップＳ２０７及びＳ２０８では、印刷開始の指示を受け付けるまで、用紙サイズ３０１や印刷品位３０２を含む印刷条件の設定をユーザーから受け付ける。印刷開始が指示されるとステップＳ２０９においてユーザの設定した用紙サイズや印刷品位といった印刷条件にて印刷を行う。
【００２０】
以上の操作では、外部表示装置１５３が印刷装置１００に接続されていることが前提となる。これに対し、外部表示装置１５３が接続されていない場合も考えられる。そのような場合には、画像を選択しての印刷指示（ステップＳ２０３からＳ２０５）や、印刷モードの設定（ステップＳ２０６及びＳ２０７）が困難となる。
【００２１】
そこで、表示内容を確認した上での画像選択動作や印刷モード設定を行わずとも、簡易に印刷を行う場合の処理を図５を参照して説明する。図５は、当該処理の一例に対応するフローチャートであり、ＲＯＭ１３２に格納された対応する処理プログラムをＭＰＵ１３１が実行することにより処理が行われる。
【００２２】
上記のように、ステップＳ２０２における外部表示装置１５３が接続されているかどうかの判定の結果、外部表示装置１５３が接続されていない場合には、ステップＳ５０１において、専用キー１６０が押下されたかどうかを判定する。専用キー１６０の押下を検知すると、ステップＳ５０２に移行して印刷モードを予め定められた条件（デフォルト）の内容に設定する。ここで、デフォルトとは、予めＲＯＭ１３２内に設定されている用紙サイズや印刷品位の設定内容である。
【００２３】
ステップＳ５０３では、メモリーカード１５４内の画像データの内、日付の新しいものから順に印刷する。ステップＳ５０４では印刷処理中に、印刷処理の停止を指示するキャンセル指示を受け付けたかどうかを判定し、キャンセル指示を受け付けた場合にはその時点で印刷を終了する。
【００２４】
一方、キャンセル指示を受け付けない場合には、ステップＳ５０５で全ての印刷が終了したかどうかを判定し、終了していない場合には、ステップＳ５０３へ戻って、メモリーカード１５４内の残りの画像データのうち、印刷されていないものの印刷処理を継続する。
【００２５】
専用キー１６０の操作によるデフォルト設定に従った印刷動作は、印刷装置１００に外部表示装置１５３が接続されていない場合にのみ行われるものではなく、外部表示装置１５３が接続されていた場合であっても、画像選択処理や印刷モードの設定の最中に、専用キー１６０の操作を受け付けた場合には、それまでに行われた画像選択処理や印刷モードの設定にかかわらず、デフォルトの設定による印刷処理を行うことができる。
【００２６】
また、上記では用紙サイズはデフォルト設定に従う場合を記載したが、印刷装置１００のキャリッジに設けられた反射型センサで用紙上を走査し用紙幅を算出して、その用紙幅からＡ４、Ａ６等の定型サイズを割り出すことにより、用紙サイズを設定しても良い。
【００２７】
同様に、前面給紙前面排紙型のスイッチバック方式の給紙機構を持った印刷装置１００であれば給紙時に得られる用紙長からＡ４、Ａ６等の定型サイズを割り出して、用紙サイズを設定しても良い。
【００２８】
このように、ユーザのセットした用紙のサイズを判別して、用紙サイズに合わせた印刷データを作成し印刷を行うこともできる。
【００２９】
また、上記のように、メモリーカード１５４内の全画像を印刷する順番を画像ファイルに付属する日付情報の新しいものから順に印刷し、キャンセル指示の受付により印刷処理を終了する本実施形態によれば、印刷対象の画像を選択しなくとも、最近撮影した画像を簡易に印刷することができる。
【００３０】
また、デフォルト設定を利用した印刷については、ＲＯＭ１３２が電気的に書き込み可能な不揮発性ＲＯＭであるＥＥＰＲＯＭであれば、工場出荷時に設定された用紙サイズ・印刷品位等の印刷設定内容に限定されることなく、ユーザーが外部表示装置１５３と操作パネル１５０を使用して予め設定した内容をデフォルト設定として、印刷を行っても良い。
【００３１】
また、図２において、外部表示装置１５３が接続されているか否かが判定するＳ２０２を設けなくとも、構わない。ユーザーが、専用キー１６０の操作により、デフォルトの設定による画像記録を行う構成であっても構わない。
【００３２】
以上のように、本発明によれば、印刷装置に外部表示装置が接続されている場合には、外部表示装置の表示内容を参照して印刷画像の選択及び印刷設定を行うことができる。また、外部表示装置が接続されていない場合には、画像選択及び印刷設定を予め決められた設定内容に基づいて実行する指示を、ボタン操作により行うことができるので、極めて容易に印刷処理を行うことができる。
【００３３】
［その他の実施形態］
なお、本発明は、複数の機器（例えばホストコンピュータ、インタフェイス機器、リーダ、プリンタなど）から構成されるシステムに適用しても、一つの機器からなる装置（例えば、複写機、ファクシミリ装置など）に適用してもよい。
【００３４】
また、本発明の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【００３５】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【図面の簡単な説明】
【００３６】
【図１】本発明の実施形態に対応する印刷装置１００の構成の一例を示す図である。
【図２】本発明の実施形態に対応する、印刷装置１００に外部表示装置１５３が接続されている場合の印刷処理のフローチャートである。
【図３】本発明の実施形態に対応する印刷設定を行う際の表示画面の一例を示す図である。
【図４】本発明の実施形態に対応する操作パネルの一例を示す図である。
【図５】本発明の実施形態に対応する、印刷装置１００に外部表示装置１５３が接続されている場合の印刷処理のフローチャートである。
【図１】
2005343007.tif 000003
【図２】
2005343007.tif 000004
【図３】
2005343007.tif 000005
【図４】
2005343007.tif 000006
【図５】
2005343007.tif 000007